(57)【要約】【課題】本体の外観形状をスリムに保つとともに、加湿運転を長時間継続することができる加湿機能付空気清浄機を提供することを目的とする。【解決手段】本体１の上部側に設けた空気清浄ユニット２と、本体１の下部側に着脱自在に設けられる加湿ユニット３とを備え、加湿ユニット３は上方が開放した横長形状のトレイ部４と、トレイ部４に収納される横長形状の給水タンク５および加湿フィルター６からなる構成とすることにより本体１の外観形状をスリムに保つとともに、加湿運転を長時間継続することができる加湿機能付空気清浄機を得られる。【選択図】図１
2008025899.tif 000002
【特許請求の範囲】
【請求項１】
本体の上部側に設けた空気清浄ユニットと、前記本体の下部側に着脱自在に設けられる加湿ユニットとを備え、前記加湿ユニットは上方が開放した横長形状のトレイ部と、このトレイ部に吸収される横長形状の給水タンクおよび加湿フィルターからなる加湿機能付空気清浄機。
【請求項２】
トレイ部に収納される給水タンクの投影面上で略Ｌ字形状に形成し、前記トレイ部と前記給水タンクに囲まれた範囲に加湿フィルターを配置した請求項１記載の加湿機能付空気清浄機。
【請求項３】
給水タンクの横幅寸法をトレイ部の横幅寸法よりやや小なる寸法に形成し、前記トレイ部に、前記給水タンクを収納可能に設けた請求項１または２記載の加湿機能付空気清浄機。
【請求項４】
トレイ部に収納した給水タンクの天面を平面状に形成するとともに、前記トレイ部の上端部と略同一高さとした請求項１または２記載の加湿機能付空気清浄機。
【請求項５】
給水タンクの奥行き寸法をトレイ部の奥行き寸法よりやや小なる寸法として収納可能に設けた請求項１または２記載の加湿機能付空気清浄機。
【請求項６】
トレイ部の前面下部に横長の凹状帯を設け、前記凹状帯の中央付近に、前記トレイ部を引き出す取手部を設け、前記凹状帯の上部両端に先端を曲面状に形成した保持部を設けた請求項１または２記載の加湿機能付空気清浄機。
【請求項７】
投影面上で、給水タンクの両端に凸状部を設け、前記凸状部はトレイ部の前面両端に設けた凹状端に係合可能に設けた請求項１または２記載の加湿機能付空気清浄機。
【請求項８】
トレイ部の前面に透明または半透明の水位窓を設け、前記水位窓を前記トレイ部の両側面まで延設した請求項２記載の加湿機能付空気清浄機。
【請求項９】
給水タンクの背面に、加湿フィルターの上流側に面して、凹状のタンク取手部を設け、前記タンク取手部に前記加湿フィルターの供給される気流が流入可能に請求項１記載の加湿機能付空気清浄機。
【請求項１０】
本体に着脱可能に設けたトレイ部底面にローラーを設け、本体の底面に前記ローラーが係脱可能な孔部を形成した請求項１記載の加湿機能付空気清浄機。
【請求項１１】
トレイ部の底面に設けた突起部と、本体の底面に設けた弾性係合部とを備え、前記トレイ部の突起部が前記本体の弾性係合部に係脱可能に備え、本体に着脱可能に設けたトレイ部底面のローラーが、本体の底面に設けられた孔部に係脱すると同時に、前記トレイ部の突起部が前記弾性係合部に係脱する構成とした請求項１０記載の加湿機能付空気清浄機。
【発明の詳細な説明】
【技術分野】
【０００１】
本発明は、空気を浄化しながら加湿することのできる加湿機能付空気清浄機に関する。
【背景技術】
【０００２】
従来、この種の加湿機能付空気清浄機の一例として空気清浄ユニットと加湿ユニットを設けた加湿機能付空気清浄機が知られている（例えば、特許文献１参照）。
【０００３】
以下、その加湿機能付空気清浄機について図８および図９を参照にしながら説明する。
【０００４】
図に示すように、空気流路１０１内に配置されたフィルター１０２と、フィルター１０２の下流側に設けられる送風手段１０３と、空気流路１０１の空気が選択的に取り込まれる加湿流路１０４と、加湿流路１０４に配置された加湿手段１０５とを設け、加湿手段１０５の加湿フィルター１０６はトレー１０７内に配置され、トレー１０７内には水タンク１０８からの水が供給され、加湿フィルター１０６を湿らせるように設け、また、加湿流路１０４の断面積より加湿フィルター１０６の投影面積を小さく形成しており、加湿流路１０４と加湿フィルター１０６の上方および側方面には隙間を設け構成している。
【特許文献１】特開２００５−６１６５５号公報（［００２２］［００２５］図１、図２）
【発明の開示】
【発明が解決しようとする課題】
【０００５】
このような従来の加湿機能付空気清浄機では、水タンク１０８の容量が小さく加湿量も少なくなるとともに、水タンク１０８が一方側に片寄って配設されることにより、本体重心が片寄り不安定になるという課題があり、水タンク１０８の容量が大きく、本体重心が片寄らないので安定性が良くなるようにすることが要求されている。
【０００６】
本発明は、このような従来の課題を解決するものであり、本体の外観形状をスリムに保つとともに、加湿運転を長時間継続できる加湿機能付空気清浄機を提供することを目的としている。
【課題を解決するための手段】
【０００７】
本発明の加湿機能付空気清浄機は上記目的を達成するために、本体の上部側に設けた空気清浄ユニットと、前記本体の下部側に着脱自在に設けられる加湿ユニットとを備え、前記加湿ユニットは上方が開放した横長形状のトレイ部と、このトレイ部に収納される横長形状の給水タンクおよび加湿フィルターからなる構成としたものである。
【０００８】
この手段により、本体の外観形状をスリムに保つとともに、加湿運転を長時間継続することができる加湿機能付空気清浄機が得られる。
【０００９】
また、他の手段は、トレイ部に収納される給水タンクの投影面上で略Ｌ字形状に形成し、前記トレイ部と前記給水タンクに囲まれた範囲に加湿フィルターを配置したものである。
【００１０】
この手段により、大容量の給水タンクを省スペースに収納することができるとともに、加湿フィルターを通過する気流が本体外に漏出するのを抑制することができる加湿機能付空気清浄機が得られる。
【００１１】
また、他の手段は、給水タンクの横幅寸法をトレイ部の横幅寸法よりやや小なる寸法に形成し、前記トレイ部に前記給水タンクを収納可能に設けたものである。
【００１２】
この手段により、本体の重心を低く保ち、安定性を増やすことができる加湿機能付空気清浄機が得られる。
【００１３】
また、他の手段は、トレイ部に収納した給水タンクの天面を平面状に形成するとともに、前記トレイ部の上端部と略同一高さとしたものである。
【００１４】
この手段により、給水タンク容量を最大限まで大きくすることができるとともに、加湿ユニットから本体外への空気漏れを防止することができる加湿機能付空気清浄機が得られる。
【００１５】
また、他の手段は、給水タンクの奥行き寸法をトレイ部の奥行きよりやや小なる寸法として収納可能に設けたものである。
【００１６】
この手段により、給水タンクの容量をできるだけ大きくすることができるとともに、本体の安定性を高めることができる加湿機能付空気清浄機が得られる。
【００１７】
また、他の手段は、トレイ部の前面下部に横長の凹状帯を設け、前記凹状帯の中央付近に、前記トレイ部を引き出す取手部を設け、前記凹状帯の上部両端に先端を曲面状に形成した保持部を設けたものである。
【００１８】
この手段により、トレイ部に手を入れて引き出す操作が容易に行えるとともに、トレイ部を安定した状態で持ち運ぶことができる加湿機能付空気清浄機が得られる。
【００１９】
また、他の手段は、投影面上で、給水タンクの両端に凸状部を設け、前記凸状部はトレイ部の前面両端に設けた凹状端に係合可能に設けたものである。
【００２０】
この手段により、位置決めが容易にできるとともに給水タンクの着脱操作が容易にできる加湿機能付空気清浄機が得られる。
【００２１】
また、他の手段は、トレイ部の前面に透明または半透明の水位窓を設け、前記水位窓を前記トレイ部の両側面まで延設したものである。
【００２２】
この手段により、給水タンクの水位が見やすくなり視認性を改善することのできる加湿機能付空気清浄機が得られる。
【００２３】
また、他の手段は、給水タンクの背面に、加湿フィルターの上流側に面して凹状のタンク取手部を設け、前記タンク取手部に前記加湿フィルターの供給される気流が流入可能としたものである。
【００２４】
この手段により、加湿フィルターへの通風を円滑化することができる加湿機能付空気清浄機が得られる。
【００２５】
また、他の手段は、本体に着脱可能に設けたトレイ部底面にローラーを設け、本体の底面に前記ローラーが係脱可能な孔部を形成したものである。
【００２６】
この手段により、トレイ部の着脱操作が容易にできるとともに、トレイ部が本体から意に反して離脱しないようにストッパーの役目も兼ねることができる加湿機能付空気清浄機が得られる。
【００２７】
また、他の手段は、トレイ部の底面に設けた突起部と、本体の底面に設けた弾性係合部とを備え、前記トレイ部の突起部が前記本体の弾性係合部に係脱可能に設け、本体に着脱可能に設けたトレイ部底面のローラーが、本体の底面に設けた孔部に係脱すると同時に、前記トレイ部の突起部が前記弾性係合部に係脱する構成としたものである。
【００２８】
この手段により、本体を運搬時にトレイ部が容易に外れない保持力を保つとともに、トレイ部を簡単に引き出すことができる加湿機能付空気清浄機が得られる。
【発明の効果】
【００２９】
本発明によれば、本体の外観形状をスリムに保つとともに、加湿運転を長時間継続することができるという効果のある加湿機能付空気清浄機を提供できる。
【００３０】
また、大容量の給水タンクを省スペースに収納することができるとともに、加湿フィルターを通過する気流が本体外に漏出するのを抑制することができるという効果のある加湿機能付空気清浄機を提供できる。
【００３１】
また、本体の重心を低く保ち、安定度を増すことができるという効果のある加湿機能付空気清浄機を提供できる。
【００３２】
また、給水タンク容量を最大限まで大きくすることができるとともに、加湿ユニットから本体外への空気漏れを防止することができるという効果のある加湿機能付空気清浄機を提供できる。
【００３３】
また、給水タンクの容量をできるだけ大きくすることができるとともに、本体の安定性を高めることができるという効果のある加湿機能付空気清浄機を提供できる。
【００３４】
また、トレイ部に手を入れて引き出す操作が容易に行えるとともに、トレイ部を安定した状態で持ち運ぶことができるという効果のある加湿機能付空気清浄を提供できる。
【００３５】
また、給水タンクの位置決めが容易にできるとともに、給水タンクの着脱操作が容易にできるという効果のある加湿機能付空気清浄機を提供できる。
【００３６】
また、給水タンクの水位が見やすくなり視認性を改善することのできるという効果のある加湿機能付空気清浄機を提供できる。
【００３７】
また、加湿フィルターへの通風を円滑化できるという効果のある加湿機能付空気清浄機を提供できる。
【００３８】
また、トレイ部の着脱操作が容易にできるとともに、トレイ部が本体から意に反して離脱しないようにストッパーの役目も兼ねることができるという効果のある加湿機能付空気清浄機を提供できる。
【００３９】
また、本体を運搬時にトレイ部が容易に外れない保持力を保つとともに、トレイ部を簡単に引き出すことができるという効果のある加湿機能付空気清浄機を提供できる。
【発明を実施するための最良の形態】
【００４０】
本発明の請求項１記載の発明は、本体の上部側に設けた空気清浄ユニットと、前記本体の下部側に着脱自在に設けられる加湿ユニットとを備え、前記加湿ユニットは上方が開放した横長形状のトレイ部と、このトレイ部に収納される横長形状の給水タンクおよび加湿フィルターからなる構成としたものであり、横長形状のトレイ部の収納される給水タンクを、同称に横長形状とすることにより、本体の左右方向の重心が安定するとともに、本体の横幅寸法を増やすことなく給水タンクの給水量を増大して、本体の外観形状をスリムに保つとともに、加湿運転を長時間継続することができるという作用を有する。
【００４１】
また、請求項２記載の発明は、トレイ部に収納される給水タンクの投影面上で略Ｌ字形状に形成し、前記トレイ部と前記給水タンクに囲まれた範囲に加湿フィルターを配置したものであり、投影面上でみるとトレイ部内に収納した給水タンクは、本体の幅方向だけでなく厚み方向にも容積を拡大することにより、大容量の給水タンクを省スペースに収納することができる。また、加湿フィルターを囲うように略Ｌ字形状の給水タンクも設置することで、加湿フィルターを通過する気流が本体外に漏出するのを抑制することができるという作用を有する。
【００４２】
また、請求項３記載の発明は、給水タンクの横幅寸法をトレイ部の横幅寸法よりやや小なる寸法に形成し、前記トレイ部に、前記給水タンクを収納可能に設けたものであり、従来は高さ寸法の大なる給水タンクを本体の側方に配置するのが一般的であるが、これでは本体の重心が給水タンク側により不安定であるのに対し、給水タンクの高さ寸法を低くして、横幅を最大限度大きくとることにより、貯水量を多くした給水タンクをトレイ部内に収納可能とし、また、給水タンクが本体下部の幅方向全体に配置される構成となることにより、本体の重心を低く保ち、安定度を増すことができるという作用を有する。
【００４３】
また、請求項４記載の発明は、トレイ部に収納した給水タンクの天面を平面状に形成するとともに、前記トレイ部の上端部と略同一高さとしたものであり、本体にトレイ部が着脱できる範囲で給水タンク容量を最大限まで大きくすることができる。また、トレイ部を本体に挿入時に、給水タンクの天面と本体との隙間が極めて狭くなるので、加湿ユニットから本体外への空気漏れを防止することができるという作用を有する。
【００４４】
また、請求項５記載の発明は、給水タンクの奥行き寸法をトレイ部の奥行き寸法よりやや小なる寸法として収納可能に設けたものであり、給水タンクの容量をできるだけ大きくすることができる。また、本体の前後方向の重心位置を中心側に寄せて本体の安定性を高めることができるという作用を有する。
【００４５】
また、請求項６記載の発明は、トレイ部の前面下部に横長の凹状帯を設け、前記凹状帯の中央付近に前記トレイ部を引き出す取手部を設け、前記凹状帯の上部両端に先端を曲面状に形成した保持部を設けたものであり、トレイ部の中央付近に設けた取手部を用いるときに、凹状帯があることでトレイ部に手を入れて引き出す操作が容易に行え、引き出したトレイ部を持ち運ぶとき、先端を曲面状に形成した保持部に下から手を添えることで、トレイ部を安定した状態で持ち運ぶことができるという作用を有する。
【００４６】
また、請求項７記載の発明は、投影面上で給水タンクの両端に凸状部を設け、前記凸状部はトレイ部の前面両端に設けた凹状端に係合可能に設けたものであり、給水タンクをトレイ部に上から挿入時に位置決めが容易にできるとともに、給水タンクの凸状部をトレイ部の凹状端に合わせて上下動することで、着脱操作が容易に出来るという作用を有する。
【００４７】
また、請求項８記載の発明は、トレイ部の前面に透明または半透明の水位窓を設け、前記水位窓を前記トレイ部の両側面まで延設したものであり、水位窓をトレイ部の両側面にまで設けることで、本体の側方から水位を確認することができるとともに、上部から光の入らない本体構造においては、側面からの光が水面を照射することにより、給水タンクの水位が見やすくなり視認性を改善することができるという作用を有する。
【００４８】
また、請求項９記載の発明は、給水タンクの背面に、加湿フィルターの上流側に面して凹状のタンク取手部を設け、前記タンク取手部に前記加湿フィルターの供給される気流が流入可能としたものであり、送風装置から吐出された気流は加湿フィルターへと押し込まれるため、加湿フィルターの手前で乱流が起こりやすく不安定な状態となるが、給水タンクに設けたタンク取手部に一時的に流入することでチャンバー機能の役目をし、加湿フィルターへの通風を円滑化することができるという作用を有する。
【００４９】
また、請求項１０記載の発明は、本体に着脱可能に設けたトレイ部底面にローラーを設け、本体の底面に前記ローラーが係脱可能な孔部を形成したものであり、給水タンクを収納したトレイ部は重量が重く、トレイ部の底面にローラーを取り付けることで、本体に対するトレイ部の着脱操作を容易にすることができ、また、トレイ部を本体に装着時には、本体底面に設けた孔部にローラーが落ちこむことにより、トレイ部が本体から意に反して離脱しないようにストッパーの役目も兼ねるという作用を有する。
【００５０】
また、請求項１１記載の発明は、トレイ部の底面に設けた突起部と、本体の底面に設けた弾性係合部とを備え、前記トレイ部の突起部が前期本体の男性係合部に係脱可能に設け、本体に着脱可能に設けたトレイ部底面のローラーが、本体の底面に設けた孔部に係脱すると同時に、前記トレイ部の突起部が前記弾性係合部に係脱する構成としたものであり、２ヶ所の係合箇所を設けているので、本体を運搬時にトレイ部が容易に外れない保持力を保つとともに、トレイ部を引き出すときは、トレイ部底面に設けたローラーが孔部から外れて、トレイ部が少し浮き上がり、本体表面に弾性係合部があっても引っかかることなく乗り越えて、トレイ部を簡単に引き出すことができるという作用を有する。
【００５１】
以下、本発明の実施の形態について図面を参照しながら説明する。
【００５２】
（実施の形態１）
図１〜図５に示すように、本体１の上部側に空気清浄ユニット２と、本体１の下部側に着脱自在に設けられる加湿ユニット３とを設け、加湿ユニット３は上方が開放した横長形状のトレイ部４と、トレイ部４に収納される横長形状の給水タンク５および加湿フィルター６とを設け、トレイ部４に収納される給水タンク５の投影面上で略Ｌ字形状に形成し、トレイ部４と、給水タンク５に囲まれた範囲に加湿フィルター６を配置する。
【００５３】
また、給水タンク５の横幅寸法（Ａ）をトレイ部４の横幅寸法（Ｂ）よりやや小なる寸法に形成するとともに、給水タンク５の奥行き寸法（Ｃ）をトレイ部４の奥行き寸法（Ｄ）よりやや小なる寸法に形成し、トレイ部４の給水タンク５を収納可能に設け、トレイ部４に収納した給水タンク５の天面を平面状に形成するとともに、トレイ部４の上端部と略同一高さとする。
【００５４】
また、トレイ部４の前面下部に横長の凹状帯７を設け、凹状態７の中央付近に、トレイ部４を引き出す取手部８を設け、凹状帯７の上部両端に先端を曲面状に形成した保持部９を設け、また、投影面上で給水タンク５の両端に凸状部１０を設け、凸状部１０はトレイ部４の前面両端に設けた凹状端１１に係合可能に設け、トレイ部４の前面に透明または半透明の水位窓１２を設け、水位窓１２をトレイ部４の両側面にまで延設し構成する。
【００５５】
そして、加湿機能付空気清浄機を運転すると、本体１の上部側に設けた空気清浄ユニット２により室内の汚染された空気が清浄化され、清浄化された空気は、本体１の下部側に設けた加湿ユニット３に送られ、給水タンク５よりトレイ部４に給水された水を加湿ユニット３により加湿し、加湿され清浄化された空気が室内に放出される。
【００５６】
上記構成においては、本体１の上部側に設けた空気清浄ユニット２と、本体１の下部側に着脱自在に設けられる加湿ユニット３とを備え、加湿ユニット３は上方が開放した横長形状のトレイ部４と、トレイ部４に収納される横長形状の給水タンク５および加湿フィルター６からなる構成としたので、横長形状のトレイ部４に収納される給水タンク５を、同称に横長形状とすることにより、本体１の左右方向の重心が安定するとともに、本体１の横幅寸法を増やすことなく給水タンク５の給水量を増大して本体１の外観形状をスリムに保つことができ、また、加湿運転を長時間継続することができることとなる。
【００５７】
また、トレイ部４に収納される給水タンク５の投影面上で略Ｌ字形状に形成し、トレイ部４と給水タンク５に囲まれた範囲に加湿フィルター６を配置したので、投影面上で見るとトレイ部４に収納した給水タンク５は、本体１の幅方向だけでなく、厚み方向にも容積を拡大することにより、大容量の給水タンク５を省スペースに収納することができ、また、加湿フィルター６を囲うように略Ｌ字形状の給水タンク５を設置することで、加湿フィルター６を通過する気流が本体１外に漏出するのを抑制することができることとなる。
【００５８】
また、給水タンク５の横幅寸法（Ａ）をトレイ部４の横幅寸法（Ｂ）よりやや小なる寸法に形成し、トレイ部４に、給水タンク５を収納可能に設けたので、従来は高さ寸法の大なる給水タンクを本体の側方に設置するのが一般的であったが、これでは本体の重心が給水タンク側に片寄り不安定であるのに対し、給水タンク５の高さ寸法を低くして横幅を最大限大きくすることにより、貯水量を多くした給水タンク５をトレイ部４内に収納可能とすることができ、また、給水タンク５が本体１の下部の幅方向全体に配置されることにより、本体１の重心を低く保ち、安定度を増すことができることとなる。
【００５９】
また、トレイ部４に収納した給水タンク５の天面を平面状に形成するとともに、トレイ部４の上端部と略同一高さとしたので、本体１にトレイ部４が着脱できる範囲で給水タンク５の容量を最大限まで大きくすることができ、また、トレイ部４を本体１に挿入時に、給水タンク５の天面と本体１との隙間が極めて狭くなるので、加湿ユニット３から本体１外への空気漏れを防止することができることとなる。
【００６０】
また、給水タンク５の奥行き寸法（Ｃ）をトレイ部４の奥行き寸法（Ｄ）よりやや小なる寸法として収納可能に設けたので、給水タンク５の容量をできるだけ大きくすることができ、また、本体１の前後方向の重心位置を中心側に寄せて本体１の安定性を高めることができることとなる。
【００６１】
また、トレイ部４の前面下部に横長の凹状帯７を設け、凹状帯７の中央付近に、トレイ部４を引き出す取手部８を設け、凹状帯７の上部両端に先端を曲面状に形成した保持部９を設けたので、トレイ部４の中央付近に設けた取手部８を用いるときに、凹状帯７があることでトレイ部４に手を入れて引き出す操作が容易にでき、また、引き出したトレイ部４を持ち運ぶとき、先端を曲面状に形成した保持部９に下から手を添えることで、トレイ部４を安定した状態で持ち運ぶことができることとなる。
【００６２】
また、投影面上で給水タンク５の両端に凸状部１０を設け、凸状部１０はトレイ部４の前面両端に設けた凹状端１１に係合可能に設けたので、給水タンク５をトレイ部４に上から挿入時に位置決めが容易にでき、また、給水タンク５の凸状部１０をトレイ部４の凹状端１１に合わせて上下動することで、着脱操作が容易にできることとなる。
【００６３】
また、トレイ部４の前面に透明または半透明の水位窓１２を設け、水位窓１２をトレイ部４の両側面にまで延設したので、水位窓１２をトレイ部４の両側面にまで設けることで、本体１の側方から水位を確認することができ、また、上部から光の入らない本体１の構造においては、側面からのひかりが水面を照射することにより、給水タンク５の水位が見やすくなり視認性を改善することができることとなる。
【００６４】
（実施の形態２）
図６に示すように、給水タンク５Ａの背面に加湿フィルター６Ａの上流側に面して凹状のタンク取手部１３を設け、タンク取手部１３に加湿フィルター６Ａに供給される気流が流入可能に設け、本体１Ａに着脱可能なトレイ部４Ａの底面にローラーを設け、本体１Ａの底面にローラー１４が係脱可能な孔部１５を形成し構成する。
【００６５】
上記構成においては、給水タンク５Ａの背面に、加湿フィルター６Ａの上流側に面して凹状のタンク取手部１３を設け、タンク取手部１３に加湿フィルター６Ａの供給される気流が流入可能としたので、送風装置１６から吐出された気流は加湿フィルター６Ａへと押し込まれるため、加湿フィルター６Ａの手前でも乱流が起こりやすく不安定な状態となるが、給水タンク５Ａに設けたタンク取手部１３に一時的に流入することでチャンバー機能の役目をし、加湿フィルター６Ａへの通風を円滑化することができることとなる。
【００６６】
また、本体１Ａに着脱可能に設けたトレイ部４Ａの底面にローラー１４を設け、本体１Ａの底面にローラー１４が係脱可能な孔部１５を形成したので、給水タンク５Ａを収納したトレイ部４Ａは重量が重く、トレイ部４Ａの底面にローラー１４を取り付けることで、本体１Ａに対するトレイ部４Ａの着脱操作を容易にすることができ、また、トレイ部４Ａを本体１Ａに装着時には、本体１Ａの底面に設けた孔部１５にローラーが落ち込むことにより、トレイ部４Ａが本体１Ａから意に反して離脱しないようにストッパーの役目も兼ねることとなる。
【００６７】
（実施の形態３）
図７に示すように、トレイ部４Ｂの底面に設けた突起部１７と、本体１Ｂの底面に設けた弾性係合部１８とを備え、トレイ部４Ｂの突起部１７が本体１Ｂの弾性係合部１８に係脱可能に設け、本体１Ｂに着脱可能に設けたトレイ部４Ｂの底面ローラー１４Ａが本体１Ｂの底面に設けた孔部１５Ａに係脱すると同時に、トレイ部４Ｂの突起部１７が弾性係合部１８に係脱する構成としたので、２ヶ所の係合箇所を設けているので、本体１Ｂを運搬時にトレイ部４Ｂが容易に外れない保持力を保つとともに、トレイ部４Ｂを引き出すときには、トレイ部４Ｂの底面に設けたローラー１４Ａが孔部１５Ａから外れてトレイ部４Ｂが少し浮き上がり、本体１Ｂの表面に弾性係合部１８があっても引っかかることなく乗り越えて、トレイ部を簡単に引き出すことができることとなる。
【産業上の利用可能性】
【００６８】
本発明にかかる加湿機能付空気清浄機は、本体の外観形状をスリムに保つとともに、加湿運転を長時間継続することができるという効果を奏し加湿機能付空気清浄機として有用である。
【図面の簡単な説明】
【００６９】
【図１】（イ）本発明の実施の形態１の加湿機能付空気清浄機の内部を示す透視図、（ロ）同加湿機能付空気清浄機の外観斜視図
【図３】同加湿機能付空気清浄機のトイレ部を取り出した状態の平面図
【図２】同加湿機能付空気清浄機のトレイ部を取り出した状態の斜視図
【図４】同加湿機能付空気清浄機のトレイ部とタンク部および加湿フィルターの関係を示す斜視図
【図５】同加湿機能付空気清浄機の給水タンクとトレイ部の寸法関係を示す分解斜視図
【図６】本発明の実施の形態２の加湿機能付空気清浄機の部分断面図
【図７】本発明の実施の形態３の加湿機能付空気清浄機の部分断面図
【図８】従来の加湿機能付空気清浄機の側断面図
【図９】同加湿機能付空気清浄機の後方から見た縦断面図
【符号の説明】
【００７０】
１      本体
１Ａ    本体
１Ｂ    本体
２      空気清浄ユニット
３      加湿ユニット
４      トレイ部
４Ａ    トレイ部
４Ｂ    トレイ部
５      給水タンク
５Ａ    給水タンク
６      加湿フィルター
６Ａ    加湿フィルター
７      凹状帯
８      取手部
９      保持部
１０    凸状部
１１    凹状端
１２    水位窓
１３    タンク取手部
１４    ローラー
１４Ａ  ローラー
１５    孔部
１５Ａ  孔部
１７    突起部
１８    弾性係合部
【図１】
2008025899.tif 000003
【図２】
2008025899.tif 000004
【図３】
2008025899.tif 000005
【図４】
2008025899.tif 000006
【図５】
2008025899.tif 000007
【図６】
2008025899.tif 000008
【図７】
2008025899.tif 000009
【図８】
2008025899.tif 000010
【図９】
2008025899.tif 000011